(57)【特許請求の範囲】
【請求項１】
第１の液晶表示パネル層と、前記第１の液晶パネル層の下層に配設された第２の液晶表示パネル層と、を有する反射型液晶表示装置であって、
前記第１の液晶表示パネル層は、第１偏光層と、
前記第１偏光層の背面に配設されて内面側にそれぞれ複数の第１電極が設けられた一対の第１基板の間に液晶を封入して形成される第１液晶セルと、
この第１液晶セルの背面に配設され第１の偏光面を有する偏光を反射し前記第１の偏光面と異なる第２の偏光面を有する偏光を透過する反射偏光層と、を含み、
前記第２の液晶表示パネル層は、内面側にそれぞれ複数の第２電極が設けられた一対の第２基板の間に液晶を封入して形成される第２液晶セルと、
前記第２液晶セルの背面側に配設された着色層と、
前記着色層の背面側に配設された第２偏光層と、を有することを特徴とする液晶表示装置。
【請求項２】
第１の液晶表示パネル層と、前記第１の液晶パネル層の下層に配設された第２の液晶表示パネル層と、を有する反射型液晶表示装置であって、
前記第１の液晶表示パネル層は、第１偏光層と、
前記第１偏光層の背面に配設されて内面側にそれぞれ複数の第１電極が設けられた一対の第１基板の間に液晶を封入して形成される第１液晶セルと、
この第１液晶セルの背面に配設され第１の偏光面を有する偏光を反射し前記第１の偏光面と異なる第２の偏光面を有する偏光を透過する第１反射偏光層と、を含み、
前記第２の液晶表示パネル層は、内面側にそれぞれ複数の第２電極が設けられた一対の第２基板の間に液晶を封入して形成される第２液晶セルと、
前記第２液晶セルの背面側に配設された着色層と、
前記着色層の背面側に配設され、第１の偏光面を有する偏光を反射し前記第１の偏光面と異なる第２の偏光面を有する偏光を透過する第２反射偏光層と、
前記第２反射偏光層の背面側に配設された吸収層と、を有することを特徴とする液晶表示装置。
【請求項３】
請求項１又は請求項２において、前記第１液晶セルの背面側に光散乱層をさらに有することを特徴とする液晶表示装置。
【請求項４】
請求項１において、前記第２偏光層の背面側に反射層をさらに有することを特徴とする液晶表示装置。
【請求項５】
請求項２又は請求項３において、前記第２反射偏光層の背面側には、パネル平面方向にて機械的に動作する動作機構がさらに配設されることを特徴とする液晶表示装置。
【請求項６】
第１の液晶表示パネル層と、
前記第１の液晶パネル層の下層に配設された第２の液晶表示パネル層と、を有し、
前記第１の液晶表示パネル層は、第１偏光層と、
前記第１偏光層の背面に配設されて内面側にそれぞれ第１電極が設けられた一対の第１基板の間に液晶を封入して形成される第１液晶セルと、
この第１液晶セルの背面に配設され第１の偏光面を有する偏光を反射し前記第１の偏光面と異なる第２の偏光面を有する偏光を透過する第１反射偏光層と、を含み、
前記第２の液晶表示パネル層は、内面側にそれぞれ第２電極が設けられた一対の第２基板の間に液晶を封入して形成されるＥＣＢ型液晶セルと、
前記ＥＣＢ型液晶セルの背面側に配設され、第１の偏光面を有する偏光を反射し前記第１の偏光面と異なる第２の偏光面を有する偏光を透過する第２反射偏光層と、を有することを特徴とする液晶表示装置。
【請求項７】
第１〜第Ｎ（Ｎは自然数）の液晶表示パネル層を複数段積層した液晶表示装置であって、
前記第１〜第Ｎの液晶表示パネル層のそれぞれは、偏光層と、
前記偏光層の背面に配設されて内面側にそれぞれ電極が設けられた一対の基板の間に液晶を封入して形成される液晶セルと、
この液晶セルの背面に配設され第１の偏光面を有する偏光を反射し前記第１の偏光面と異なる第２の偏光面を有する偏光を透過する反射偏光層と、を含み、
前記第２〜第Ｎの液晶表示パネル層のそれぞれは、各々の前記液晶セルの背面側に各々配設され、かつ、各々が異なる色で着色された着色層と、を有し、
各々の前記着色層は、パネル平面方向で異なる位置に形成されることを特徴とする液晶表示装置。
【請求項８】
第１の液晶表示パネル層と、前記第１の液晶パネル層の下層に配設された第２の液晶表示パネル層と、を少なくとも有する反射型液晶表示装置であって、
前記第１の液晶表示パネル層は、第１偏光層と、
前記第１偏光層の背面に配設されて内面側にそれぞれ複数の第１電極が設けられた一対の第１基板の間に液晶を封入して形成される第１液晶セルと、
この第１液晶セルの背面に配設され第１の偏光面を有する偏光を反射し前記第１の偏光面と異なる第２の偏光面を有する偏光を透過する第１反射偏光層と、を含み、
前記第２の液晶表示パネル層は、内面側にそれぞれ複数の第２電極が設けられた一対の第２基板の間に液晶を封入して形成される第２液晶セルと、
前記第２液晶セルの背面側に配設され、開口部を有する第１着色層と、
前記第１着色層の背面側に配設され、第１の偏光面を有する偏光を反射し前記第１の偏光面と異なる第２の偏光面を有する偏光を透過する第２反射偏光層と、
前記第２反射偏光層の背面側に配設され、前記第１着色層とは異なる色調の第２着色層と、を有することを特徴とする液晶表示装置。
【請求項９】
請求項８において、前記第２反射偏光層と第２着色層との間に配設され、内面側にそれぞれ第３電極が設けられた一対の第１基板の間に液晶を封入して形成される第３液晶セルと、
前記第２着色層の背面側に配設され、第１の偏光面を有する偏光を反射し前記第１の偏光面と異なる第２の偏光面を有する偏光を透過する第３反射偏光層と、をさらに備えることを特徴とする液晶表示装置。
【請求項１０】
請求項１〜請求項９のいずれか一項に記載の液晶表示装置を含む電子機器。
【発明の詳細な説明】
【０００１】
【発明の属する技術分野】
本発明は、液晶表示装置及びそれを含む電子機器に関する。
【０００２】
【背景技術および発明が解決しようとする課題】
従来のＴＮ（Twisted Nematic）液晶、やＳＴＮ（Super-Twisted Nematic）液晶等の反射型の液晶表示装置においては、液晶セルを２枚の偏光板で挟んだ構造を採用していた。
【０００３】
このような通常の液晶表示装置を用いて、表示画面上の表示画像の色を部分的に変えようとすると、表示画像が淡い色であったり、暗い色の表示になるといった問題点が生じていた。また、光の利用効率が悪く、外光の強い環境では暗い表示となっていた。
【０００４】
さらに、このような液晶表示装置においては、部分的に表示色を代えるものとして、例えば、２枚の透明基板の外側に着色層を形成し、この着色層を表示領域に応じて異なる色の着色層を形成することが試みられている。
【０００５】
しかしながら、このような場合には、複数色にて表示を行なう領域が、着色層形成領域に限定されてしまい、着色表示位置を変更することは困難であった。
【０００６】
本発明は、上記した技術の課題を解決するためになされたものであり、その目的とするところは、表示画面上の表示画像の色を部分的に変えるに際して、表示画像が淡い色であったり、暗い色の表示になることを防止しながらも、着色層形成領域に限定されずに色を変更できる液晶表示装置及びそれを含む電子機器を提供することにある。
【０００７】
【課題を解決するための手段】
（１）本発明の液晶表示装置は、第１の液晶表示パネル層と、前記第１の液晶パネル層の下層に配設された第２の液晶表示パネル層と、を有し、前記第１の液晶表示パネル層は、第１偏光層と、前記第１偏光層の背面に配設されて内面側にそれぞれ第１電極が設けられた一対の第１基板の間に液晶を封入して形成される第１液晶セルと、この第１液晶セルの背面に配設され第１の偏光面を有する偏光を反射し前記第１の偏光面と異なる第２の偏光面を有する偏光を透過する反射偏光層と、を含み、前記第２の液晶表示パネル層は、内面側にそれぞれ第２電極が設けられた一対の第２基板の間に液晶を封入して形成される第２液晶セルと、前記第２液晶セルの背面側に配設された着色層と、前記着色層の背面側に配設された第２偏光層と、を有することを特徴とする。
【０００８】
本発明によれば、通常、液晶セルは電極のオン・オフの各モードによって光軸変換される。従って、第１の液晶表示パネルより第２の液晶表示パネルに向けて入射される入射光は、第１液晶セルのオン状態で旋光されず、第１液晶セルのオフ状態で旋光される。同様に、入射光は、第２液晶セルのオン状態で旋光されず、第２液晶セルのオフ状態で旋光される。
【０００９】
このため、第１の液晶表示パネルに入射した光は、第１偏光層を透過し、第１液晶セルを透過する際に第１液晶セルに印加された電圧に対応して旋光されて反射偏光層に到達する。この反射偏光層は、第１の偏光面を有する偏光を反射し、第１の偏光面とほぼ直交する第２の偏光面を有する偏光を透過する性質を持っている為、入射した偏光は、第１液晶セルの透過に伴う旋光の程度に応じて、反射偏光層で反射又は透過される。反射偏光層で反射された光は、それまでの経路を逆に辿り、第１液晶表示パネルから出射される。従って、第１の液晶表示パネルがオフ状態では、反射偏光層で反射され例えば白（第１の色）の光が出射される。
【００１０】
次に、反射偏光層を透過した偏光は、第２の液晶表示パネルの第２液晶セルに印加された電圧に応じて異なる経路を辿る。ここで、第２偏光層は、第１の偏光面を有する偏光のみを透過するように設定される。
【００１１】
そうすると、第１液晶セルに電圧が印加され（オン状態）、第２液晶セルには電圧を印加しない状態（オフ状態）が形成される領域では、反射偏光層を透過した光は、第２液晶セルにて旋光されて透過し、着色層によって反射されて着色された偏光として、それまでの経路を逆に辿り、第１の液晶表示パネルから出射される。従って、第１の液晶表示パネルがオン状態で、第２の液晶表示パネルがオフ状態では、着色層を通過した光が反射層で反射され、着色層の色（第２の色）の光が出射される。
【００１２】
一方、第１、第２液晶セルに共に電圧を印加した（オン状態）場合には、反射偏光層を透過した光は、第２液晶セルにて旋光されずに透過し、第２偏光層で吸収されるので、表示画面は黒（第３の色）の表示となる。
【００１３】
このように、第１、第２の液晶表示パネルを各々オンオフを制御することにより、白、黒、カラー（着色層の色）の少なくとも３つのタイプの表示領域を形成できる。
【００１４】
これにより、第１液晶セルのオフ状態の光が反射偏光層によって反射される領域では、第１の色の表示画像が表示され、第１液晶セルのオン状態の光が反射偏光層を透過し、第２液晶セルがオフ状態となる領域では、第２の色の表示画像が表示され、第１液晶セルのオン状態の光が反射偏光層を透過し、第２液晶セルがオン状態となる領域では、第３の色の表示画像が表示されることとなる。
【００１５】
従って、着色層に例えば黒色の着色領域と白色の着色領域とを設ける必要がなく、淡い色の画像となったりするのを防止しながらも、局所的に色を変更できる表示を行なうことができ、見やすい表示画像を実現する。また、カラー表示の表示領域は、着色層の態様の表示となるので、例えば白地に黒及びカラー（所望の色）を表示したり等の合成表示が可能となる。これにより、表示領域に対応する着色層の着色領域の着色によってカラー表示を形成できる。
【００１６】
（２）本発明の液晶表示装置は、第１の液晶表示パネル層と、前記第１の液晶パネル層の下層に配設された第２の液晶表示パネル層と、を有し、前記第１の液晶表示パネル層は、第１偏光層と、前記第１偏光層の背面に配設されて内面側にそれぞれ第１電極が設けられた一対の第１基板の間に液晶を封入して形成される第１液晶セルと、この第１液晶セルの背面に配設され第１の偏光面を有する偏光を反射し前記第１の偏光面と異なる第２の偏光面を有する偏光を透過する第１反射偏光層と、を含み、前記第２の液晶表示パネル層は、内面側にそれぞれ第２電極が設けられた一対の第２基板の間に液晶を封入して形成される第２液晶セルと、前記第２液晶セルの背面側に配設された着色層と、前記着色層の背面側に配設され、第１の偏光面を有する偏光を反射し前記第１の偏光面と異なる第２の偏光面を有する偏光を透過する第２反射偏光層と、を有することを特徴とする。
【００１７】
本発明によれば、第２の液晶表示パネルに第２反射偏光層と吸収層が形成される場合には、第１の液晶表示パネルがオン状態、第２の液晶表示パネルがオフ状態である場合には、第２液晶セルを透過した光は、着色層を透過して第２反射偏光層で反射される。そして、再び着色層を透過して第２液晶セルを透過し、第１の表示パネルより着色層の色で出射される。
【００１８】
一方、第１、第２の液晶表示パネルが共にオン状態である場合には、第２液晶セルを透過した入射光は、第１反射偏光層を透過して吸収層で吸収されてしまう。従って、この場合には、表示画像は黒色の表示となる。
【００１９】
このようにして、第２反射偏光層と吸収層を用いることによっても、白黒及び着色層のカラー表示の各表示領域を確保できる。
【００２０】
（３）本発明は、前記第１液晶セルの背面側に光散乱層をさらに有することが好ましい。これにより、第１の液晶表示パネルがオフ状態の時には、鏡面状ではなく白色状の表示となる。
【００２１】
（４）本発明は、第２偏光層の背面側に反射層をさらに有することが好ましい。
【００２２】
これにより、着色表示をより明るく明瞭に表示できる。
【００２３】
（５）本発明は、前記第２反射偏光層の背面側には、吸収層をさらに有することが好ましい。これにより、第２反射偏光層を透過する偏光は、すみやかに殆ど吸収され、黒表示をより明確化できる。
【００２４】
（６）本発明は、前記第２反射偏光層の背面側には、パネル平面方向にて機械的に動作する動作機構がさらに配設されることが好ましい。これにより、動作機構を内在させることで、動作機構は、表示画像の中で黒色表示が可能となるので、動作機構の動作そのものを黒表示の表示画像として合成表示させることができる。
【００２５】
この動作機構の動作による表示としては例えば時計等の針の黒色表示等が挙げられる。
【００２６】
（７）本発明の液晶表示装置は、第１の液晶表示パネル層と、前記第１の液晶パネル層の下層に配設された第２の液晶表示パネル層と、を有し、前記第１の液晶表示パネル層は、第１偏光層と、前記第１偏光層の背面に配設されて内面側にそれぞれ第１電極が設けられた一対の第１基板の間に液晶を封入して形成される第１液晶セルと、この第１液晶セルの背面に配設され第１の偏光面を有する偏光を反射し前記第１の偏光面と異なる第２の偏光面を有する偏光を透過する第１反射偏光層と、を含み、前記第２の液晶表示パネル層は、内面側にそれぞれ第２電極が設けられた一対の第２基板の間に液晶を封入して形成されるＥＣＢ型液晶セルと、前記ＥＣＢ型液晶セルの背面側に配設され、第１の偏光面を有する偏光を反射し前記第１の偏光面と異なる第２の偏光面を有する偏光を透過する第２反射偏光層と、を有することを特徴とする。
【００２７】
本発明によれば、着色層、液晶セルに変えて、ＥＣＢ型液晶セルを配設することで、液晶セルの制御により所望の色を部分的に生じさせることができるので、着色層を複数の色で形成することを要しない。
【００２８】
（８）本発明の液晶表示装置は、第１の液晶表示パネル層と、前記第１の液晶パネル層の下層に配設された第２の液晶表示パネル層と、を有し、前記第１の液晶表示パネル層は、１／２階調分の濃さとなるように表示制御され、前記第２の液晶表示パネル層は、１／２階調分の濃さとなるように表示制御されることを特徴とする。これにより、第１、第２の液晶表示パネル層が合成表示された表示画像を見ることで、階調表示が可能となる。
【００２９】
（９）本発明の液晶表示装置は、第１〜第Ｎ（Ｎは自然数）の液晶表示パネル層を複数段積層した液晶表示装置であって、前記第１〜第Ｎの液晶表示パネル層のそれぞれは、偏光層と、前記偏光層の背面に配設されて内面側にそれぞれ電極が設けられた一対の基板の間に液晶を封入して形成される液晶セルと、この液晶セルの背面に配設され第１の偏光面を有する偏光を反射し前記第１の偏光面と異なる第２の偏光面を有する偏光を透過する反射偏光層と、を含み、前記第２〜第Ｎの液晶表示パネル層のそれぞれは、各々の前記液晶セルの背面側に各々配設され、かつ、各々が異なる色で着色された着色層と、を有し、各々の前記着色層は、パネル平面方向で異なる位置に形成されることを特徴とする。
【００３０】
本発明によれば、上述したのと同様の原理により、第１〜第Ｎ（Ｎは自然数）の液晶表示パネル層の各々オン、オフ制御と、各反射偏光層並びに各着色層により、複数の液晶表示パネル層を積層することで、白黒表示に加えて、Ｎ−１種類の着色層の各色を部分的に表示しながらも、一般的なフルカラー表示のパネルに比べて、色が淡くなったり、暗くなったり等を防止できる。
【００３１】
（１０）本発明の電子機器は、上述のような液晶表示装置を含む。これにより、見やすい表示を行なうことのできる電子機器を提供できる。
【００３２】
【発明の実施の形態】
以下、本発明の好適な実施の形態について、図面を参照しながら具体的に説明する。
【００３３】
［実施の形態１］
（全体構成）
図１は、本発明の液晶表示装置の概略を示す断面図である。本例の液晶表示装置１は、図１に示すように、第１の液晶表示パネル１０と、この第１の液晶表示パネル１０の背面に配置された第２の液晶表示パネル３０と、を含んで構成される。
【００３４】
第１の液晶表示パネル１０は、図１に示すように、第１偏光層１２と、第１偏光層１２の背面に配設されて内面側にそれぞれ第１電極（図示せず）が設けられた一対の第１基板１５・１５の間に液晶１６を封入して形成される第１液晶セル１４と、この第１液晶セル１４の背面に配設され第１の偏光面を有する偏光を反射し第１の偏光面と異なる第２の偏光面を有する偏光を透過する反射偏光層を構成する反射偏光子２０と、を含んで構成される。なお、基板１５は、ガラス基板、ＰＥＴ（ポリエチレンテレフタレート）基板、ＰＣ（ポリカーボネード）基板、プラスチックフィルム等で形成することが好ましい。また、電極は、ＩＴＯ（Indium Tin Oxide）酸化膜等で形成することが好ましい。さらに、後述するが、反射偏光子２０の前面側には拡散層である光散乱層が配設されている。
【００３５】
第２の液晶表示パネル３０は、反射偏光子２０の背面に配設されて内面側にそれぞれ第２電極（図示せず）が設けられた一対の第２基板３５・３５の間に液晶３６を封入して形成される第２液晶セル３４と、この第２液晶セル３４の背面に配設され表示画面を着色表示する着色層３８と、着色層３８の背面に配設される第２偏光層４０と、第２偏光層４０の背面に配設される反射層５０と、を含んで構成される。
【００３６】
この反射層５０は、基板上にアルミニウムや銀等の蒸着膜を形成することで形成される。さらに、液晶セル１４・３４に用いられる液晶としては、直線偏光を旋光させた状態と旋光させない状態とを制御できるのであれば、ＴＮ型、ＳＴＮ型等の様々なタイプのものを用いることができる。着色層３８は、カラーフィルタ、蛍光塗料等で形成することが好ましい。なお、この図においては、各層の間に空間があるように描いてあるが、実際には各層間に空間は殆ど存在しない。
【００３７】
（反射偏光子について）
ここで、反射偏光子２０の特性について説明する。
【００３８】
図２は、本例の反射偏光子２０の原理を説明するための模式的な断面図である。この図では、第１偏光層１２、第１液晶セル１４、拡散層である光散乱層１８、反射偏光子２０、着色層３８、及び反射層５０のみが表されている。
【００３９】
反射偏光子２０は、例えば国際公開公報（ＷＯ９５／１７６９２）に開示されたものとほぼ同様に形成することが好ましく、図３に模式的な斜視図として示すように、異なる２つの層、すなわちＡ層２３とＢ層２４とが交互に、Ｚ軸方向に多くの層が積層された構造となっている。反射偏光子２０は、各層が１μｍに満たない程度の厚さの多くの層が積層されて形成され、全体としても数百μｍ程度の厚さの薄い板状である。
【００４０】
この反射偏光子２０においては、Ａ層２３のＸ軸方向の屈折率をＮａｘ、Ｙ軸方向の屈折率をＮａｙとし、Ｂ層２４のＸ軸方向の屈折率をＮｂｘ、Ｙ軸方向の屈折率をＮｂｙとすると、それら屈折率の間には次のような関係がある。
【００４１】
Ｎａｘ  ≠  Ｎａｙ
Ｎｂｘ  ＝  Ｎｂｙ
Ｎａｙ  ＝  Ｎｂｙ
このように形成された反射偏光子２０は、Ｙ軸方向の直線偏光をそのまま透過させる。
【００４２】
さらに、本例の反射偏光子２０は、互いに隣接する一対のＡ層２３およびＢ層２４において、Ａ層２３の厚さＴａとＢ層２４の厚さＴｂとが、所定の可視光の波長λに対して、次の関係となるように形成されている。
【００４３】
Ｔａ・Ｎａｘ  ＋  Ｔｂ・Ｎｂｘ  ＝  λ／２                  （１）
このように、反射偏光子２０を形成することによって、Ｚ軸方向から反射偏光子２０に入射した波長λのＸ軸方向の直線偏光は、Ｘ軸方向の直線偏光として反射される。
【００４４】
さらに、Ａ層２３とＢ層２４の多数の対は、可視領域内の様々な波長λの光に対して式（１）の関係が満たされるように、様々な厚さの組み合わせとなっている。これによって、反射偏光子２０は、可視領域の全波長にわたるＸ軸方向の直線偏光を、Ｘ軸方向の直線偏光として反射することになる。
【００４５】
したがって、反射偏光子２０は、全可視領域において、Ｘ軸方向の直線偏光をＸ軸方向の直線偏光として反射し、Ｙ軸方向の直線偏光をＹ軸方向の直線偏光として透過させる。
【００４６】
次に、このような反射偏光子２０を用いた第１の液晶表示パネル１０の作用を、第１液晶セル１４によって偏光方向が９０°旋光される場合と、旋光されない場合に分けて、図２とともに説明する。なお、第１液晶セル１４にＴＮ液晶を用いた場合には、液晶を挟む電極間に所定の電圧が印加された場合は直線偏光は旋光されず、電圧無印加の場合は直線偏光の偏光方向が９０°旋光される。
【００４７】
第１液晶セル１４によって偏光方向が９０°旋光される場合は、第１の液晶表示パネル１０は、図２の右半分に光の経路と偏光面の方向を模式的に示したように振る舞う。なお、この図において光路に沿って描いた記号は、アスタリスク状の記号が偏光面を持たない自然光を示し、左右両方に向く矢印が紙面と平行な偏光方向の直線偏光を示し、中心に点のある丸印が紙面と直角な偏光方向の直線偏光を示す。
【００４８】
すなわち、第１の液晶表示パネル１０に入射する自然光である入射光６０は、第１偏光層１２によって紙面と平行な方向（Ｙ軸方向）の直線偏光となり、第１液晶セル１４によって偏光方向が９０°旋光されて紙面に垂直な方向（Ｘ軸方向）の直線偏光（第１の偏光面を有する偏光）となり、Ｘ軸方向の直線偏光を反射する反射偏光子２０によって偏光方向を変えずに反射され、再び第１液晶セル１４によって旋光されてＹ軸方向の直線偏光となり、第１偏光層１２を透過して出射光６２となる（光路Ｉ）。
【００４９】
このように、液晶セル１４によって偏光方向が９０°旋光されて第１の偏光面を有する偏光となる場合は、第１偏光層１２によって直線偏光とされた入射光は、ほとんどが反射偏光子２０によって反射されるため、明るい表示となる。なお、反射偏光子２０と第１液晶セル１４との間には、光散乱層１８が設けられているため、鏡面状ではなく、白色状の表示となる。なお、この光散乱層の部分に着色層を形成しても良い。
【００５０】
また、第１液晶セル１４によって偏光方向が旋光されない場合、第１の液晶表示パネル１０は、図２の左半分に光の経路と偏光面の方向を模式的に示したように振る舞う。
【００５１】
すなわち、第１の液晶表示パネル１０に入射する自然光である入射光６４は、第１偏光層１２によってＹ軸方向の直線偏光（第２の偏光面を有する偏光）となり、旋光されることなく第１液晶セル１４を透過し、Ｙ軸方向の直線偏光を透過する反射偏光子２０を透過する。そして、着色層３８を透過し反射層４４で反射され再び着色層３８を透過した光と着色層３８で反射された光と共に、反射偏光子２０を再度そのまま透過し、旋光されることなく第１液晶セル１４をＹ軸偏光として透過し、第１偏光層１２を再度透過して出射光６６となる（光路II）。
【００５２】
ここで、着色層３８で反射された光、反射層４４で反射され再び着色層３８を透過する光は共に着色層３８の色を持つＹ軸偏光である。
【００５３】
このように、第１液晶セル１４によって旋光されず第２の偏光面を有する偏光の場合は、第１偏光層１２によって直線偏光とされた入射光６４は、ほとんどが反射偏光子２０を透過し、着色層３８によって一部は吸収され、残りは着色されて第１の液晶表示パネル１０から出射される。この出射光６６は、着色層３８によって一部が吸収されるため、第１液晶セル１４によって９０°旋光されて反射偏光子２０により反射される出射光６２に比し暗い表示となる。なお、反射層５０を設けてあるため、着色層３８を透過した光が反射層５０で反射されて再び着色層３８を透過して、着色層３８で反射された光に加わるため、反射層５０がない場合に比べ明るい表示となる。
【００５４】
以上のように、第１液晶セル１４によって直線偏光が９０°旋光される場合（オフ状態）は、反射偏光子２０によって反射された光が光散乱層１８によって散乱されて白色状の出射光６２となる。また、第１液晶セル１４によって直線偏光が旋光されない場合（オン状態）は、反射偏光子２０を透過した光が着色層３８で着色されてカラーの出射光６６となる。
【００５５】
上述のような特性に基づき、本例の第１の液晶表示パネル１０は、第１液晶セル１４が直線偏光を９０°旋光させる部分と、旋光させない部分とを、表示パターンに対応させて配置することによって、白地にカラー等の表示を行うようにしている。なお、第１液晶セル１４は、表示パターンに対応させて直線偏光を９０°旋光させる部分と、旋光させない部分とを形成するために、第１液晶セル１４を構成する一対の第１基板１５のそれぞれには、液晶１６に面する側に電極が配置されている。そして、これら電極には駆動回路（図示せず）が接続されて、液晶１６への所定の電圧の印加が制御できるようになっている。このような第１の液晶表示パネル１０においては、通常、入射光が反射偏光子２０を透過する領域を画素として用い、入射光が反射偏光子２０によって反射される領域を背景として用いた表示が行われる。
【００５６】
（第２の液晶表示パネルについて）
さらに、第１の液晶表示パネル１０の下層に第２の液晶表示パネル３０を設けている。第１の液晶表示パネル１０を透過した光を、この第２液晶セル３４のオン・オフ状態によってさらに２つの種類の偏光を生成できる。即ち、図１に示すように、上述の反射偏光子２０を透過する入射光６４は、第１液晶セル１４をオン状態・第２液晶セル３４をオフ状態とすることで、第２液晶セル３４にて旋光され、Ｘ軸方向のＸ軸偏光となる。
【００５７】
ここで、第２偏光層４０は、Ｘ軸方向のＸ軸偏光を透過し、Ｙ軸偏光は透過しないように設定されている。このため、入射光６４は、着色層３８・第２偏光層４０を透過し、反射層５０で反射されると共に、再び逆の経路（第２偏光層４０・着色層３８・第２液晶セル３４・反射偏光子２０・第１液晶セル１４・第１偏光層１２）を辿って、出射光６６として出射される（光路II）。
【００５８】
一方、第１液晶セル１４・第２液晶セル３４を共にオン状態とした場合には、入射光６８は、入射光６４と同様に第１の液晶表示パネル１０を透過し、第２液晶セル３４がオン状態であるので旋光されずにこの第２液晶セル３４を透過するので、第２偏光層４０を透過しない。従って、光は吸収されて表示は暗く、黒表示となる（光路III ）。
【００５９】
このようにすると、第１の液晶表示パネル１０の第１液晶セル１４がオフ状態であるときは、白表示の表示領域７０が生成され、第１の液晶表示パネル１０がオン状態、第２の液晶表示パネル３０がオフ状態であるときは、着色層３８の色の表示領域７２が生成され、第１、第２の液晶表示パネル１０、３０が共にオン状態であるときは、黒表示の表示領域７４が生成される。従って、第１、第２の液晶表示パネル１０、３０を各々オン・オフ制御することで、３つの異なる表示領域７０、７２、７４を形成できる。
【００６０】
図４は、本例の液晶表示装置１が形成された状態を示す模式的な断面図である。この図には、第１偏光層１２と、一対の第１基板１５，１５の間に液晶１６を封入して形成された第１液晶セル１４と、反射偏光子２０と、一対の第２基板３５，３５の間に液晶３６を封入して形成された第２液晶セル３４と、着色層３８と、第２偏光層４０と、反射層５０とが示されている。なお、この図には示していないが、液晶表示装置１は、光散乱層を含んで形成される。
【００６１】
前述したように、反射偏光子２０にて反射するように偏光が到達する状態に第１液晶セル１４が制御されると、その部分は電極の対向部分の形状パターンに対応した形状の白色表示（第１の色）となる。そして、反射層５０にて反射されるように、第１液晶セル１４、第２液晶セル３４が電極を介して制御されると、その部分は、電極の対向部分の形状パターンに対応した形状であって着色層３８で着色される色表示（第２の色）となる。また、第２偏光層４０で偏光が透過できないような偏光が到達する状態に第１液晶セル１４、第２液晶セル３４が電極を介して制御されると、第１液晶セル１４、第２液晶セル３４によって旋光されない部分の出射光が殆どなくなり、その部分は、電極の対向部分の形状パターンに対応した形状の黒色表示（第３の色）となる。
【００６２】
従って、着色層に例えば黒色の着色領域と白色の着色領域とを設ける必要がなく、淡い色の画像となったりするのを防止しながらも、局所的に色を変更できる表示を行なうことができ、見やすい表示画像を実現する。また、カラー表示の表示領域は、着色層の態様の表示となるので、例えば白地に黒及びカラー（所望の色）を表示したり等の合成表示が可能となる。これにより、表示領域に対応する着色層の着色領域の着色によってカラー表示を形成できる。
【００６３】
以上のように本実施の形態１によれば、以下の効果を有する。
【００６４】
（１）第１液晶セルのオフ状態の光が反射偏光子によって反射される領域では、白（第１の色）の表示画像が表示され、第１液晶セルのオン状態の光が反射偏光子を透過し、第２液晶セルがオフ状態となる領域では、着色層のカラー（第２の色）の表示画像が表示され、第１液晶セルのオン状態の光が反射偏光子を透過し、第２液晶セルがオン状態となる領域では、黒（第３の色）の表示画像が表示されることとなる。
【００６５】
（２）第２の色となる領域の表示画像は、着色層の態様の表示となるので、白黒とは別のカラー表示を示した状態で、合成表示され、着色層により所望のカラー表示が可能となる。さらに、着色層の表示は、反射層により明るい表示とすることができる。
【００６６】
［実施の形態２］
次に、本発明の実施の形態２について図５〜図６を用いて説明する。上述の実施の形態１と同様の構成については、同一の符号を付しその詳細な説明を省略する。
【００６７】
図５の液晶表示装置１００では、実施の形態１と同様の第１の液晶表示パネル１０を有すると共に、第２の液晶表示パネル１１０を有する。
【００６８】
本例では、第２の液晶表示パネル１１０を、実施の形態１のものと異なるものを使用している。即ち、この第２の液晶表示パネル１１０には、第２液晶セル３４の着色層３８の下層に、第１反射偏光子２０同様の第２反射偏光層を構成する第２反射偏光子１２０と、この第２反射偏光子１２０の下層に形成された吸収層１３０と、を設けている。
【００６９】
このように形成することにより、第１液晶セル１４がオフ状態の領域では、実施の形態１同様に、入射光６０が第１偏光層１２によって紙面と平行な方向（Ｙ軸方向）の直線偏光となり、第１液晶セル１４によって偏光方向が９０°旋光されて紙面に垂直な方向（Ｘ軸方向）の直線偏光（第１の偏光面を有する偏光）となり、Ｘ軸方向の直線偏光を反射する反射偏光子２０によって偏光方向を変えずに反射され、再び第１液晶セル１４によって旋光されてＹ軸方向の直線偏光となり、第１偏光層１２を透過して出射光６２となる（光路Ｉ）。
【００７０】
また、第１液晶セル１４がオン状態で第２液晶セル２４がオフ状態の領域では、入射光６５は、第２反射偏光子１２０で反射し、出射光６７として出射する。即ち、入射光６４は、第２液晶セル３４をオフ状態とすることで、第２液晶セル３４にてＹ軸方向の偏光からＸ軸方向のＸ軸偏光に旋光される。
【００７１】
ここで、第２反射偏光子１２０は、Ｘ軸方向のＸ軸偏光を反射し、Ｙ軸偏光を透過しするように設定されている。このため、上述の入射光６５は、第２反射偏光子１２０で反射されると共に、再び逆の経路（着色層３８・第２液晶セル３４・第１反射偏光子２０・第１液晶セル１４・第１偏光層１２）を辿って、出射光６７として出射される（光路II）。
【００７２】
第１液晶セル１４がオン状態で第２液晶セル３４がオン状態の領域では、入射光６８は、第２反射偏光子１２０を透過して吸収層１３０で吸収される。即ち、入射光６８は、第１の液晶表示パネル１０を通過するのは入射光６４と同様であるが、第２液晶セル３４がオン状態であるときは旋光されずにこの第２液晶セル３４を透過するので、第２偏光層４０を透過できない。従って、光は吸収されて表示は暗く、黒表示となる（光路III ）。
【００７３】
このようにすると、第１の液晶表示パネル１０の第１液晶セル１４がオフ状態であるときは、白表示の表示領域７０が生成され、第１の液晶表示パネル１０がオン状態、第２の液晶表示パネル３０がオフ状態であるときは、着色層３８の色の表示領域７２が生成され、第１、第２の液晶表示パネル１０、３０が共にオン状態であるときは、黒表示の表示領域７４が生成される。従って、第１、第２の液晶表示パネル１０、３０を各々オン・オフ制御することで、３つの異なる表示領域７０、７２、７４を形成できる。
【００７４】
図６は、本例の液晶表示装置１００が形成された状態を示す模式的な断面図である。この図には、第１偏光層１２と、一対の第１基板１５，１５の間に液晶１６を封入して形成された第１液晶セル１４と、反射偏光子２０と、一対の第２基板３５，３５の間に液晶３６を封入して形成された第２液晶セル３４と、着色層３８と、第２反射偏光子１１０と、吸収層１３０とが示されている。なお、この図には示していないが、液晶表示装置１００は、光散乱層を含んで形成される。
【００７５】
以上のように本実施の形態２によれば、第２反射偏光子と吸収層を用いることによっても、白黒及び着色層のカラー表示の各表示領域を確保できる。
【００７６】
また、第２の液晶表示パネルにも第２反射偏光子を用いることで、表示を見やすくすることができる。
【００７７】
［実施の形態３］
次に、本発明の実施の形態３について図７及び図８を用いて説明する。上述の実施の形態１、２と同様の構成については、同一の符号を付しその詳細な説明を省略する。
【００７８】
図７において、液晶表示装置２００は、実施の形態１、２とは異なる第２の液晶表示パネル２１０を形成している。この第２の液晶表示パネル２１０は、第２反射偏光子１２０の下層に、機械的に動作する動作機構の一例である時計機構２２０を設けた例を示している。
【００７９】
即ち、第２の液晶表示パネル２１０の液晶セル３４の下層縁部には、パネル外周に亘って略方形状に形成された枠体からなる構造体２１２を設け、この枠状の構造体２１２の開口する一端に、上述の吸収層１３０を含む板状体を貼付することにより構成される。そして、この構造体２１２による間隙２１４内であって、吸収層１３０側の一面に時計機構２２０を固着している。なお、この時計機構２２０は、長針と短針、秒針からなる針と、当該各針を動作させる図示しない駆動機構が設けられている。そして、この針の部分のみを上記構造体２１２の内部に設置し、他の駆動機構等を構造体２１２の外に配設することによって、上述の実施の形態１、２と同様の原理により、針を黒色表示することができる。
【００８０】
この表示画面の一例を図８に示す。図８では、液晶表示装置２００の表示画面には、白の背景２３０上に、黒色表示の時計機構（針）２２０、着色層３８の色例えば赤の表示領域２３２Ａ〜２３２Ｃが表示されている。
【００８１】
このようにして、上述の積層構造を採用することで、明確で明るい色表示を実現しながらも、白黒表示とカラー表示とを組合せて様々な表示画面を形成することができる。
【００８２】
［実施の形態４］
次に、本発明の実施の形態４について図９を用いて説明する。上述の実施の形態１〜３と同様の構成については、同一の符号を付しその詳細な説明を省略する。
【００８３】
図９は、本例の液晶表示装置３００を示す模式的な断面図である。図９において、液晶表示装置３００は、実施の形態１〜３とは異なる第２の液晶表示パネル３１０を形成している。この第２の液晶表示パネル３１０は、第２液晶セル３４の下層に形成される着色層に開口部（スリット）を形成した例を示している。
【００８４】
この図に示すように、本例の第２の液晶表示パネル３１０は、着色層３１２に開口部（スリット）３１４が設けられ、着色層３１２の背面側には、第２反射偏光子１２０が設けられている。
【００８５】
このため、着色層３１２に設けられた開口部３１４の領域では、第１液晶セル１４、第２液晶セル３４に電圧が印加された場合でも、この領域の液晶セル３４を透過した偏光は、着色されずに第２反射偏光子１２０によって反射された表示となる。
【００８６】
一方、開口部３１４の領域であって、第１液晶セル１４、第２液晶セル４に電圧が印加される領域では、第１の偏光面を有する偏光が第２反射偏光子１２０に入射されて、第２反射偏光子１２０によって反射された偏光による表示となる。
【００８７】
これにより、開口部３１４を通過する光は着色層３１２によって着色されないので、下層に他の着色層を設けることで、白、黒、着色層以外の他の着色層の色を表示できる。
【００８８】
このように、着色層３１２が形成される領域では、上述の実施の形態１〜３と同様、白表示、黒表示、着色層のカラー表示の３つの領域が形成されるが、本例では、これらに加えて、開口部３１４による領域を形成している。
【００８９】
従って、他の所望の着色層・拡散層等をこの開口部３１４に填め込む等、この開口部３１４を利用すると共に、第１、第２液晶セルのオン・オフ制御を行なうことで、種々の色、表示領域を形成できる。
【００９０】
［実施の形態５］
次に、本発明の実施の形態５について図１０、図１１を用いて説明する。上述の実施の形態１〜４と同様の構成については、同一の符号を付しその詳細な説明を省略する。
【００９１】
図１０は、本例の液晶表示装置４００を示す模式的な断面図である。図１０において、液晶表示装置４００は、実施の形態１〜４と同様の第１の液晶表示パネル１０と、第１の液晶パネル１０の下層に配設され実施の形態４と同様の第２の液晶表示パネル３１０と、第２の液晶表示パネル３１０の下層に配設され第３の液晶表示パネル４１０と、の３層構造を形成している。
【００９２】
このうち、第３の液晶表示パネル４１０は、実施の形態２の第２の液晶パネル同様の積層構造を採用しており、内面側にそれぞれ第３電極（図示せず）が設けられた一対の第２基板４３５・４３５の間に液晶４３６を封入して形成される第３液晶セル４３４と、第３液晶セル４３４の背面側に配設され、第１着色層３１２と異なる色で構成された第２着色層４３８と、第２着色層４３８の背面側に配設され、第１の偏光面を有する偏光を反射し第１の偏光面と異なる第２の偏光面を有する偏光を透過する第３反射偏光子４４０と、第３反射偏光子４４０の背面側に配設された吸収層４５０と、を含んで構成される。そして、第１着色層３１２に開口部（スリット）３１４が設けられている。
【００９３】
このような液晶表示装置４００では、第１液晶セル１４がオフ状態の表示領域４７０では、入射光４６０は第１反射偏光子２０にて反射され、実施の形態２同様、図示しない光散乱層による白表示（第１の色）の出射光４６２を得る（光路Ｉ）。
【００９４】
第１液晶セル１４がオン状態・第２液晶セル３４がオフ状態の表示領域４７２では、入射光４６３は第２反射偏光子１２０にて反射され、実施の形態２同様、第１着色層３１２（例えば赤色）によるカラー表示（第２の色）の出射光４６４を得る（光路II）。
【００９５】
第１着色層３１２の開口部３１４が形成される領域であって、第１液晶セル１４がオン状態・第２液晶セル３４がオン状態・第３液晶セル４３４がオフ状態の表示領域４７４では、入射光４６５は第３反射偏光子４４０にて反射され、第２着色層４３８（例えば緑色）によるカラー表示（第３の色）の出射光４６６を得る（光路III ）。
【００９６】
即ち、第３液晶セル４３４に電圧が印加されないので、第２反射偏光子を透過した光は、第３液晶セル４３４にて旋光され透過する。ここで、第３反射偏光子４４０は、第１、第２反射偏光子同様の特性を有するため、第３液晶セル４３４にて旋光された偏光は反射し、旋光されない偏光は透過するよう構成される。
【００９７】
従って、第３液晶セル４３４にて旋光され透過した偏光は、第２着色層４３８及び第３反射偏光子４４０によって反射され、着色された偏光（第３の色）として、それまでの経路を逆に辿り、第１の液晶表示パネル１０から出射される。
【００９８】
第１着色層３１２の開口部３１４が形成される領域であって、第１液晶セル１４がオン状態・第２液晶セル３４がオン状態・第３液晶セル４３４がオン状態の表示領域４７６では、入射光４６５は第３反射偏光子４４０を透過して、吸収層４５０で吸収され、黒表示（第４の色）の出射光４６６を得る（光路IV ）。
【００９９】
このようにして、開口部を通過する光は第１着色層によって着色されないので、下層に他の第２着色層を設けることで、白、黒、第１着色層以外の他の第２着色層の色を表示でき、白黒以外に、異なる２色のカラー表示を局所的に得ることができる。従って、淡い色の画像となったりするのを防止しながらも、局所的に色を変更できる表示を行なうことができ、見やすい表示画像を実現する。
【０１００】
なお、この実施の形態５では、第３の液晶表示パネルとして、実施の形態２の積層構造を採用したが、他の実施の形態１、実施の形態３等の積層構造を採用しても良い。
【０１０１】
さらに、この実施の形態５では、３層構造の例を示したが、複数、Ｎ（Ｎは自然数）層構造の第１〜第Ｎの液晶表示パネルを積層した構成であっても良い。この場合には、第１〜第Ｎの液晶表示パネルのそれぞれは、偏光層、液晶セル、反射偏光子、を有する。また、第２〜第Ｎの液晶表示パネルのそれぞれは、各々が異なる色で着色された着色層を形成し、各々の着色層に、平面上異なる位置に形成するスリットを形成することが好ましい。また、各々の着色層を、平面上異なる位置に形成しても良い。これにより、上述と同様の原理により、第１〜第Ｎ（Ｎは自然数）の液晶表示パネルの各々オン、オフ制御と、各反射偏光層並びに各着色層により、複数の液晶表示パネルを積層することで、白黒表示に加えて、Ｎ−１種類の着色層の各色を部分的に表示しながらも、一般的なフルカラー表示のパネルに比べて、色が淡くなったり、暗くなったり等を防止できる。
【０１０２】
図１１は、本例の液晶表示装置４００の表示例を示す平面図である。この図において、表示４７４Ａは緑色、表示４７２Ａは赤色、表示４７４ｂは緑色、表示４７４Ｃは緑色、表示４７２Ｂは赤色、表示４７６Ａおよび表示４７６Ｂは黒色となっている。つまり、本例の液晶表示装置４００は、図１１の模式的な平面図として示すように、表示４７６Ａ・４７６Ｂ・４７４Ａ〜４７４Ｃ・４７２Ａ・４７２Ｂでマトリックス表示のドット部やアイコン表示のアイコン部等を表示するようにしている。
【０１０３】
これら各表示の表示色は、前述したように、第１着色層３１２、第２着色層４３２の着色によって得られている。すなわち、図１２に本例の液晶表示装置４００の第１着色層３１２、第２着色層４３２の平面図を示すように、着色層には、表示４７４Ａ〜４７４Ｃに対応する位置に緑色の着色領域４３８Ａ〜４３８Ｃ、表示４７２Ａ・４７２Ｂに対応する位置に赤色の着色領域３１２Ａ・３１２Ｂ、表示４７６Ａ・４７６Ｂに対応する位置に黒色の着色領域４５０Ａ・４５０Ｂが、それぞれ設けられている。
【０１０４】
このように、着色層に設けられる各着色領域は、各表示を所定の色表示とするために、各表示を形成する画素に対応した位置に、第１、第２の反射偏光子１２０・１４０の上面に各々貼付される。
【０１０５】
なお、各着色層を各表示パターンに対応させると共に、表示パターンより多少大きめに設けることが好ましい。そして、画面には、複数色のカラー表示をするが、同じ表示パターンには各々同じ色を表示するようにする。例えば、アイコンに対応する領域のみ互いに異なる色の発色領域、他の領域は同一色の発色領域を形成する等。
【０１０６】
このようにすれば、アイコン、ドット単位のカラー表示となり、各アイコン、ドットのそれぞれはいつも同じ色の表示となり、多少パララックスがあっても、アイコン、ドットの表示を見ている限りにおいては、パララックスが気にならない。
【０１０７】
なお、本例においては、表示４７６Ａ・４７６Ｂの行単位に着色層を各々設けたが、一文字単位に着色層を各々設けて一文字単位のカラー表示としてもよい。即ち、表示４７６Ａ・４７６Ｂにおいて、複数ドット毎に、様々な色の発色領域を設けてもよい。このようにすれば、ドット単位の表示、即ち、一つの文字又は１つの記号単位の表示となり、１つの文字又は１つの記号単位はいつも同じ色の表示となるので、多少パララックスがあっても、１つの文字又は１つの記号単位で表示を見ている限りにおいては、パララックスが気にならない。
【０１０８】
このようにして、上述の積層構造を採用することで、明確で明るい色表示を実現しながらも、白黒表示とカラー表示とを組合せて様々な表示画面を形成することができる。
【０１０９】
［実施の形態６］
次に、上述の液晶表示装置を用いた電子機器の実施の形態について図１３〜図１５を用いて説明する。
【０１１０】
上述の実施の形態１〜４の液晶表示装置を用いて構成される電子機器は、第１、第２の液晶表示パネル１０１０・１０３０の他に、表示情報出力源１００４、表示情報処理回路１００６、表示駆動回路１０１１・１０３１、クロック発生回路１００２などの様々な回路や、当然ながらそれらの各回路に電力を供給する電源回路１００８などを含んで構成される。
【０１１１】
表示情報出力源１００４は、ＲＯＭ、ＲＡＭなどのメモリ、テレビ信号を同調して出力する同調回路などを含んで構成され、クロック発生回路１００２からのクロックに基づいて、ビデオ信号などの表示情報を出力する。表示情報処理回路１００６は、クロック発生回路１００２からのクロックに基づいて表示情報を処理して出力する。この表示情報処理回路１００６は、例えば増幅・極性反転回路、相展開回路、ローテーション回路、ガンマ補正回路あるいはクランプ回路等を含むことができる。表示駆動回路１０１１・１０３１は、各々走査側駆動回路及びデータ側駆動回路を含んで構成され、第１、第２の液晶表示パネル１０１０・１０３０を各々表示駆動する。電源回路１００８は、上述の各回路に電力を供給する。
【０１１２】
このような構成の電子機器として、例えば、図１４に示すマルチメディア対応のパーソナルコンピュータ（ＰＣ）及びエンジニアリング・ワークステーション（ＥＷＳ）、図１５に示す携帯電話、ワードプロセッサ、テレビ、ビューファインダ型又はモニタ直視型のビデオテープレコーダ、電子手帳、電子卓上計算機、カーナビゲーション装置、腕時計、時計、ＰＯＳ端末、タッチパネルを備えた装置、ページャ、ミニディスクプレーヤ、ＩＣカード、各種電子機器のリモコン、各種計測機器（油量計等）などを挙げることができる。
【０１１３】
図１４に示すパーソナルコンピュータ１１００は、キーボード１１０２を備えた本体部１１０４と、液晶表示画面１１１０とを有する。
【０１１４】
図１５に示す携帯電話１２００は、上記実施の形態の液晶表示装置を、電子機器である携帯電話１２００に組み込んだ状態を斜視図として示している。この携帯電話１２００には、本体の上部に表示部（第１の液晶表示パネル）１２１０が設けてある。当然ながら、その他、第２の液晶表示パネル等は筺体１２１２内部に配設されることとなる。これにより、局所的に色を変更する表示を行なうことのできる電子機器を提供できる。
【０１１５】
尚、本発明に係る装置と方法は、そのいくつかの特定の実施の形態に従って説明してきたが、当業者は本発明の主旨及び範囲から逸脱することなく本発明の本文に記述した実施の形態に対して種々の変形が可能である。例えば、液晶表示パネルは、駆動方式で言えば、パネル自体にスイッチング素子を用いない単純マトリックス液晶表示パネルやスタティック駆動液晶表示パネル、またＴＦＴで代表される三端子スイッチング素子あるいはＭＩＭで代表される二端子スイッチング素子を用いたアクティブマトリックス液晶表示パネル、電気光学特性で言えば、ＴＮ型、ＳＴＮ型、ゲストホスト型、相転移型、強誘電型など、種々のタイプの液晶パネルを用いることができる。
【０１１６】
また、第１の液晶表示パネルの下層に配置される第２の液晶表示パネルとしては、ＤＡＰ型、ホモジニアス型、ハイブリッド型等のＥＣＢ（Electrically controlled birefringence）（屈曲板を重ねて少しずつずらしていく）型のパネルであってもよい。この場合には、カラーフィルター等の着色層を形成しなくても、特定箇所に特定色を表示可能であるので、複数色のカラーフィルタ等の着色層を設ける必要はない。
【０１１７】
ここで、ＥＣＢ型パネルは、電界にて液晶相を制御することで、入射する直線偏光を楕円偏向に変換する光軸変換手段として機能する。即ち、各々異なる位相のＲ、Ｇ、Ｂの入射光が入ると、例えば図１の例の構造では、反射偏光子２０を通過して、各々異なる偏光軸（楕円偏光）に変換され、ある色は透過し、ある色は殆ど吸収される。これによって、ＥＣＢ型パネルを透過する光は、ある特定の色のみとなる。
【０１１８】
従って、従来は例えば全画面表示でフルカラーを出そうとすると、黒デューティー等が問題となり、良い色が出なかった。これに対して本例では、色を変えることのみにＥＣＢ型パネルを用いているので、局所的に特定の色を出す場合には、当該特定領域を制御でき、また所望の特定色に変更自在となる。
【０１１９】
なお、このように、第１層、第２層の複数階層構造の液晶表示装置において、下層にＥＣＢ型パネルを用いた場合には、例えば以下のような電子機器の表示が可能となる。即ち、例えば温度計等の表示画面にて白黒表示で温度を出し、所定の温度以上になった場合には、下層のＥＣＢ型パネルに電圧を印加して表示を赤にし、所定の温度以下になった場合には、緑の表示にする等の用途に使え、特定箇所の表示を複数色に変更自在に制御できる。この場合には、温度検出部や、この検出結果に基づいて表示制御を制御する制御手段、等を備えていることは言うまでもない。
【０１２０】
また、着色層の吸収量を変えることによって、色の違いを出すように形成しても良い。さらに、着色表示を行なう場合には、第１層の第１の液晶表示パネルで、１／２階調分の濃さの表示を行い、第２層の第２の液晶表示パネルで、１／２階調分の濃さの表示を行なう手段を設け、階調表示可能に構成してもよい。
【０１２１】
また、上記実施の形態１〜５では液晶表示パネルに用いる反射偏光子が積層型の反射偏光子である例を示したが、反射偏光子は、これに限らず、第１の偏光面を有する偏光を反射し、第１の偏光面とほぼ直交する第２の偏光面を有する偏光を透過するのであれば他の種類の反射偏光子をであってもよい。例えば、積層型反射偏光子に代えて、コレステリック液晶層と１／４波長板とを組み合わせるもの、ブリュースターの角度を利用するもの（SID 92 DIGEST P.427-429）、ホログラムを利用するもの等を用いることもできる。
【０１２２】
尚、第２の液晶表示パネルの背面側に発光手段としてのバックライトを設けた構成としても良い。この場合には、第２反射偏光子の背面に発光手段としてバックライト、ＥＬ（エレクトロルミネセンス）等を設けることとなる。バックライトは、光源と導光板とを有する。ここで、透過表示モードは、反射表示モード同様、オフ状態のセル領域（画素）は明表示される。一方、反射表示モードは、透過表示モード同様、オン状態のセル領域（画素）は暗表示される。これにより、透過表示モードと反射表示モードとにより明暗は反転しない。
【０１２３】
この場合には、反射偏光子は、ハーフミラーとして機能するため、入射光が弱い、例えば夜間のような暗い環境にあっても、コントラストが反転した表示になり、見にくくなるような事態を回避できる。従って、比較的暗い環境にあっても、表示画像を正確に認識できる。
【０１２４】
また、下層に配設される第２の液晶表示パネルとしてＬＣＤディスプレイを使用した場合について説明したが、本発明ではこれに限定されず、例えば薄型のブラウン管、あるいは液晶シャッター等を用いた小型テレビ、エレクトロルミネッセンス、プラズマディスプレイ、ＣＲＴディスプレイ、ＦＥＤ(Field Emission Display)パネル等種々の映像表示装置を使用することができる。
【０１２５】
さらに、上述の実施の形態６で示したような電子機器の一例として時計の例を示したが、特にワールドタイム表示を行なう時計にも好適に適用できる。即ち、第１層目の液晶表示パネルで例えば黒色等の表示を行い、第２層目の液晶表示パネルで赤、緑等の世界地図等の表示を行なうよう形成しても良い。この他、カレンダー表示腕時計、液晶式アナログ表示腕時計、液晶テレビウォッチ等様々に適用できる。
【０１２６】
また、第１の液晶表示パネルでは、光散乱層と第１反射偏光子との間にλ／２位相差層を形成しても良い。また、λ／２位相差層の代わりにλ／４位相差層を形成しても良い。
【０１２７】
さらに、液晶がＳＴＮ液晶である場合は、第２偏光層の下層に色補償用の光学異方体等の位相差フィルムを介在させ、ＳＴＮ液晶で発生する着色を補正する構成としても良い。
【図面の簡単な説明】
【図１】本発明に係る液晶表示装置の実施の形態の一例を示す模式的な断面図である。
【図２】図１の液晶表示装置を説明するための模式的な断面図である。
【図３】図１の液晶表示装置の反射偏光子を示す斜視図である。
【図４】図１の液晶表示装置が形成された状態を示す模式的な断面図である。
【図５】本発明に係る液晶表示装置の他の実施の形態の一例を示す模式的な断面図である。
【図６】図５の液晶表示装置が形成された状態を示す模式的な断面図である。
【図７】本発明に係る液晶表示装置の他の実施の形態の一例を示す模式的な断面図である。
【図８】図７の液晶表示装置で表示される表示画像の一例を示す説明図である。
【図９】本発明に係る液晶表示装置の他の実施の形態の一例を示す模式的な断面図である。
【図１０】本発明に係る液晶表示装置の他の実施の形態の一例を示す模式的な断面図である。
【図１１】図１０の液晶表示装置で表示される表示画像の一例を示す説明図である。
【図１２】図１０の液晶表示装置で表示される表示画像の一例を示す説明図である。
【図１３】本発明の液晶表示装置を用いた電子機器の一例を示す機能ブロック図である。
【図１４】本発明の液晶表示装置を用いた電子機器の一例を示す正面図である。
【図１５】本発明の液晶表示装置を用いた電子機器の一例を示す分解斜視図である。
【符号の説明】
２、１００、２００、３００、４００    液晶表示装置
１０  第１の液晶表示パネル
１２  第１偏光層
１４  第１液晶セル
１５  基板
１６  液晶
１８  光散乱層
２０  第１反射偏光子
３０、１１０、２１０、３１０  第２の液晶表示パネル
３４  第２液晶セル
３８、３１２  着色層
４０  第２偏光層
５０  反射層
６０、６４、６５、６８  入射光
６２、６５、６７  出射光
７０、４７０  第１表示領域
７２、４７２  第２表示領域
７４、４７４  第３表示領域
１２０  第２反射偏光子
１３０  吸収層
２２０  針
４１０  第３の液晶表示パネル
４３４  第３液晶セル
４３８  第２着色層
４４０  第３反射偏光子
４５０  吸収層
４７６  第４表示領域
１０００  電子機器
【図１】
0003858477.tif 000002
【図２】
0003858477.tif 000003
【図３】
0003858477.tif 000004
【図４】
0003858477.tif 000005
【図５】
0003858477.tif 000006
【図６】
0003858477.tif 000007
【図７】
0003858477.tif 000008
【図８】
0003858477.tif 000009
【図９】
0003858477.tif 000010
【図１０】
0003858477.tif 000011
【図１１】
0003858477.tif 000012
【図１２】
0003858477.tif 000013
【図１３】
0003858477.tif 000014
【図１４】
0003858477.tif 000015
【図１５】
0003858477.tif 000016